(57)【要約】【課題】自動調心ころ軸受用の打抜き保持器にフランジ及びころ案内面を簡単に精度よく形成する。【解決手段】大径側環部１と小径側環部２との間に亘る複数の柱３、３と、柱３で周方向に分離された複数のポケット４、４と、公転する凸面ころ５の端面に摺接可能なころ案内面１ａと、大径側環部１を直径方向に起こしたフランジ６とを形成し、ころ案内面１ａを、ポケット４の内周のうち大径側環部１に形成された打抜き断面から構成し、フランジ６のフランジ曲げ部ｒを大径側環部１に周方向全周に亘って形成されるようにした。これにより、必須の打抜き加工のみでころ案内面１ａを得られ、これに伴ってフランジ６の正背両面の平面度や曲げ角を周方向全周に亘って均一に得易くなる。【選択図】図６
2010025230.tif 000002
【特許請求の範囲】
【請求項１】
大径側環部と小径側環部との間に亘る複数の柱と、前記柱で周方向に分離された複数のポケットと、公転する凸面ころの端面に摺接可能なころ案内面と、前記大径側環部を直径方向に起こしたフランジとを形成されている打抜き保持器において、前記ころ案内面は、前記ポケットの内周のうち前記大径側環部に形成された打抜き断面からなり、前記フランジのフランジ曲げ部が前記大径側環部に周方向全周に亘って形成されていることを特徴とする打抜き保持器。
【請求項２】
前記凸面ころの端面は、面取り部を除いた全面が研削面となっており、前記ころ案内面は、公転中に研削面全径に亘った摺接範囲を確保可能な周方向長さを有していることを特徴とする請求項１に記載の打抜き保持器。
【請求項３】
前記フランジの背面に、他の同形打抜き保持器のフランジ背面に摺接可能な平面部が周方向全周に亘るように形成されていることを特徴とする請求項１又は２に記載の打抜き保持器。
【請求項４】
前記柱が前記凸面ころの外周部に内外一方から接触することで該凸面ころの内外一方への抜けが規制されるようになっており、内外他方側に起こされた前記フランジのうち、周方向で前記複数のポケットの各ポケット間に位置する部分に、前記凸面ころの外周部に内外他方から間隙をもって重なる抜止めが形成されていることを特徴とする請求項３に記載の打抜き保持器。
【請求項５】
前記抜止めは、前記フランジのうち前記各ポケット間に位置する部分に加えた押し出し成形により正面側に膨らませた膨出部からなり、前記フランジに弾性変形を生じさせつつ前記凸面ころを前記ポケットに押し込むと、その凸面ころの円周方向両側に位置する両抜止めが弾性回復で該ころの外周部と間隙をもって内外他方から重なるようになっていることを特徴とする請求項４に記載の打抜き保持器。
【請求項６】
前記フランジの先端縁が円周に沿った形状とされていることを特徴とする請求項５に記載の打抜き保持器。
【請求項７】
前記抜止めは、前記フランジの先端縁で最も軸方向に膨らみ、かつ内外一方側に進むに連れて軸方向に小さく膨らむことを特徴とする請求項５又は６に記載の打抜き保持器。
【請求項８】
前記抜止めは、前記フランジの先端縁で周方向幅が最も大きく、かつ内外一方側に進むに連れて周方向幅が小さくなることを特徴とする請求項７に記載の打抜き保持器。
【請求項９】
前記抜止めの押し出しに伴って前記フランジの背面に形成された窪みが前記平面部に連続していることを特徴とする請求項５乃至８のいずれか１つに記載の打抜き保持器。
【請求項１０】
前記窪みが前記フランジの先端縁に及ぶことを特徴とする請求項９に記載の打抜き保持器。
【請求項１１】
請求項３乃至１０のいずれか１つに記載の打抜き保持器が内外の軌道輪間に対向一対で組み込まれた自動調心ころ軸受。
【請求項１２】
前記内外の軌道輪間に案内輪が組み込まれていないことを特徴とする請求項１１に記載の自動調心ころ軸受。
【請求項１３】
前記フランジの背面に、前記抜止めの膨出に伴う窪みが該フランジの先端縁に及び、かつ前記平面部に連続しており、内外他方の前記軌道輪に、前記窪みに向かって潤滑剤を供給する油穴が設けられていることを特徴とする請求項１２に記載の打抜き保持器。
【請求項１４】
周壁一端が大径となり他端が小径となった環状体を金属板で形成する成形加工と、前記周壁の一端部を直径方向に起こすフランジ加工と、前記周壁の両端間の部分にポケット形成用の穴あけを行う打抜き加工とを行う打抜き保持器の製造方法において、前記打抜き加工の前に前記フランジ加工を施し、前記打抜き加工を、前記周壁のうち前記フランジ加工で形成されたフランジ曲げ部から他端側に離れた部分に施し、かつ一端側環部の打抜き断面部が前記ポケットに保持させる凸面ころの端面に対向する断面となるように打抜くことを特徴とする打抜き保持器の製造方法。
【発明の詳細な説明】
【技術分野】
【０００１】
この発明は、フランジとポケットとをプレス加工で造った打抜き保持器、その打抜き保持器を用いた自動調心ころ軸受、及びその打抜き保持器の製造方法に関する。
【背景技術】
【０００２】
自動調心ころ軸受は、外輪に球面軌道を有する複列のころ軸受になっており、各列の転動体として凸面ころが用いられたものである。公転する凸面ころのスキュー挙動を抑える必要があり、案内輪、中鍔、保持器等を適宜に利用したころ案内手段が設けられている。従来、保持器を利用したころ案内手段として、公転する凸面ころの端面に摺接可能なころ案内面を打抜き保持器に形成することが行われている（特許文献１）。
【０００３】
特許文献１に開示された打抜き保持器は、図１１に示すように、大径側環部１０１と小径側環部１０２との間に亘る複数の柱１０３、１０３・・・と、柱１０３、１０３・・・で周方向に分離された複数のポケット１０４、１０４・・・と、大径側環部１０１を直径方向に起こしたフランジ１０５とを形成されている。
【０００４】
図１１に示す打抜き保持器は、軸受組立ての都合上、一列のころを打抜き保持器に保持させた状態で一まとめに取り扱えるようになっている。具体的には、周方向両側に位置する柱１０３が凸面ころ１０６の外周部に内外一方から接触することにより、凸面ころ１０６の内外一方への抜けが規制される。係る規制を得るため、各柱１０３は、周方向に隣り合う凸面ころ１０６、１０６間の周方向間隔が最も狭くなる領域、すなわち、凸面ころ１０６の自転軸を含むピッチ円から内外一方に外れた位置に設けられる。このため、ころ本数やころ径を増すことができる利点もある。フランジ１０５は、内外他方側に起こされている。そのフランジ１０５には、凸面ころ１０６の端面中央部に形成された凹部１０６ａに掛かる抜止め１０５ａが形成されている。凸面ころ１０６を押し当ててフランジ１０５乃至抜止め１０５ａを弾性変形させつつ凸面ころ１０６をポケット１０４に入れると、抜止め１０５ａは、弾性回復で凸面ころ１０６の凹部１０６ａ内に入り込み、凸面ころ１０６の内外他方への抜けを凹部１０６ａの内面との引っ掛かりで規制するようになっている。
【０００５】
また、フランジ１０５に、凸面ころ１０６の端面の凹部１０６ａと面取り部間を繋ぐ研削部１０６ｂに摺接可能なころ案内面１０５ｂ、１０５ｂが形成されている。ころ案内面１０５ｂ、１０５ｂは、内外輪１１１、１１２の軌道間で公転する凸面ころ１０６の研削部１０６ｂと対向する面部からなる。保持器にころ案内面１０５ｂ、１０５ｂを形成すると、自動調心ころ軸受が受けるアキシアル荷重の状態によらず、いずれの列においても凸面ころ１０６の端面ところ案内面１０５ｂ、１０５ｂとの離間が避けられるので、ころのスキュー挙動を安定して防止することができる。
【０００６】
従来、打抜き保持器の製造においては、図１２（ａ）に示すように、周壁１２１の一端が大径となり他端が小径となった環状体１２０を金属板で形成する成形加工を行った後、図１２（ｂ）に示すように、周壁１２１の両端間の部分にポケット用孔１２２の穴あけを行う打抜き加工を行う。打抜き加工後、図１２（ｃ）に示すように、環状体の一端部１２４の全体を直径方向に起こすフランジ加工を行う。そのフランジ曲げ部は、柱となる繋ぎ部１２５の途中に設定されている。その環状体の一端部１２４には、抜止めやころ案内面が適宜に形成される。
【０００７】
例えば、図１１のような抜止めを形成する場合は、図１２（ｂ）に示すように、ポケット用孔１２２の内周に曲げ片１２３が形成されるように打抜かれる。フランジ加工を行った後、打抜き加工で形成されたその曲げ片を正面側（すなわち、ポケットに臨む側）に曲げて形成される。
【０００８】
なお、特許文献２に開示されたように、フランジを正面側に突き出すことにより、凸面ころの端面の凹部に引っ掛かる抜止めを形成することも実施されている。
【０００９】
【特許文献１】特開２０００−２２４７号公報
【特許文献２】特開平２−１８０３１４号公報
【発明の開示】
【発明が解決しようとする課題】
【００１０】
しかしながら、図１１に示すような打抜き保持器は、フランジ１０５のフランジ曲げ部が各柱１０３上に存在する構造になっている。すなわち、打抜き保持器の製造においては、打抜き加工により、周壁の両端部間に亘る各繋ぎ部が形成され、各繋ぎ部が最終的に各柱となる部分とされる。上記の位置にフランジ曲げ部が存在すると、フランジ加工においては、各繋ぎ部の中間部分から周壁一端部を起こすことになる。各繋ぎ部を同じ内部応力としたり、各繋ぎ部に均一な曲げ力を与えたりすることは困難なため、各繋ぎ部で曲げ具合が揃わない。周壁の一端部は、最終的にフランジ１０５になる部分であるが、各繋ぎ部で曲げ具合のバラツキから両板面の平面度を円周方向全周に亘って均一に形成したり、曲げ角を円周方向全周に亘って均一にしたりすることが難しい。このことは、フランジを利用して精度を要する構造部を円周方向に亘って、又は円周方向に均一間隔で形成することを困難にする。図１１の例では、精度を要するころ案内面１０５ｂ、１０５ｂをフランジ１０５に形成するため、フランジ加工を行った後、周壁の一端部に押し出し成形を行うことで精度を確保しなければならない。
【００１１】
上記の事情に鑑み、この発明の課題は、自動調心ころ軸受用の打抜き保持器にフランジ及びころ案内面を簡単に精度よく形成することにある。
【課題を解決するための手段】
【００１２】
上記の課題を達成するため、この発明は、大径側環部と小径側環部との間に亘る複数の柱と、前記柱で周方向に分離された複数のポケットと、公転する凸面ころの端面に摺接可能なころ案内面と、前記大径側環部を直径方向に起こしたフランジとを形成されている打抜き保持器において、前記ころ案内面は、前記ポケットの内周のうち前記大径側環部に形成された打抜き断面からなり、前記フランジのフランジ曲げ部が前記大径側環部に周方向全周に亘って形成されていることを特徴とするものである。ここで、周方向は、保持器中心軸回りの円周方向に沿った方向のことをいう。
【発明の効果】
【００１３】
この発明の構成によれば、打抜き加工で形成される打抜き断面は、せん断面と破断面とからなり、せん断面はパンチで切断された断面のため、精度に優れる。周方向全周に亘る大径側環部の打抜き断面がポケットの内周の一部となるようにすれば、大径側環部の打抜き断面を凸面ころの端面と対向させ、ころ案内面にすることができる。上述のように精度に優れた断面部を打抜き加工で得られるため、大径側環部の打抜き断面からなるころ案内面は、十分な精度を有しており、打抜き加工だけで済ますことができる。
また、上述のようにポケットの内周は、大径側環部の打抜き断面を含む構造のため、大径側環部となる部分にフランジの曲げ部を周方向全周に亘って確保することができ、ひいては、フランジの正背両面の平面度や曲げ角を周方向全周に亘って均一に得易くなる。
上述のように、この発明は、必須の打抜き加工のみでころ案内面を得られ、これに伴ってフランジの正背両面の平面度や曲げ角を周方向全周に亘って均一に得易くなるため、自動調心ころ軸受用の打抜き保持器にフランジ及びころ案内面を簡単に精度よく形成することができる。
【発明を実施するための最良の形態】
【００１４】
以下、この発明に係る実施形態を添付図面に基いて説明する。
図１〜図３に示すように、実施形態に係る自動調心ころ軸受は、打抜き保持器１０、１０が内外の軌道輪１１、１２間に対向一対で組み込まれたものである。打抜き保持器１０は、大径側環部１と小径側環部２との間に亘る複数の柱３、３・・・と、柱３、３・・・で周方向に分離された複数のポケット４、４・・・と、公転する凸面ころ５の端面に摺接可能なころ案内面１ａと、大径側環部１を直径方向に起こしたフランジ６とを形成されている。
【００１５】
大径側環部１と、小径側環部２とは、打抜き保持器１０のうち、それぞれ周方向全周に亘る幅部分である。
【００１６】
フランジ６のフランジ曲げ部ｒが大径側環部１に周方向全周に亘って形成されている。
【００１７】
ポケット４の内周は、大径側環部１の打抜き断面と、小径側環部２の打抜き断面と、前記の両柱３、３の周方向端部とからなる。公転する凸面ころ５は、ポケット４の内周で周方向間隔及び軸方向位置が所定の範囲に保持される。ここで、軸方向とは、保持器中心軸に沿った方向のことである。以下、ラジアル方向、アキシアル方向に関する概念を断りなく用いるときは、保持器中心軸に関する。
【００１８】
なお、両柱３、３の周方向端部は、凸面ころ５の転動面を受ける形状になっている。これは、打抜き保持器１０を転動体案内方式にするためであり、ころ公転方向側に位置する柱３の周方向端部は、凸面ころ５の転動面を受け、これにより、打抜き保持器１０がラジアル方向に案内される。なお、通常の運転条件である限り、転動する凸面ころ５が各柱３に乗り上げることはない。この打抜き保持器１０においては、各柱３を凸面ころ５が内外の軌道輪１１、１２間に介在する状態でころ自転軸Ｃを含むピッチ径の円周（以下、この円周を単にＰＣＤと呼ぶ）の内方に位置させている。外方に位置させた場合と比して、転動する各凸面ころ５の転動面と各柱３の周方向端部との接触で打抜き保持器１０が受けるラジアル方向成分の力が大きくなり、これにより、打抜き保持器１０がラジアル方向に案内され易くなるからである。他の目的、例えば、各柱３の強度を優先する場合は、各柱３を外方に位置させてより大きな円周上に位置させることにより、同じころ本数等にしながら柱３の周方向幅を増すことができる。打抜き保持器１０は、フランジ６の先端縁や小径側環部２を起こした小フランジの先端縁を利用した軌道輪案内方式にすることもできる。
【００１９】
ころ案内面１ａは、ポケット４の内周のうち大径側環部１に形成された打抜き断面からなる。ころ案内面１ａは、公転する凸面ころ５の端面と対向する向きに形成されている。公転する凸面ころ５がスキュー挙動を生じると、ころ案内面１ａと摺接することによりスキュー挙動を抑えられる。
【００２０】
特に、凸面ころ５の端面は、面取り部を除いた全面が研削面となっており、ころ案内面１ａは、公転中に研削面全径に亘った摺接範囲を確保可能な周方向長さを有している。
【００２１】
凸面ころ５の自転軸ｃを境として周方向に対称な接触域を確保されるので、凸面ころ５の転動が不安定になり難い。凸面ころ５のスキュー防止を図る点では、摺接可能な範囲を長く確保する程よい。
【００２２】
スキュー挙動を打抜き保持器１０で受けるため、打抜き保持器１０のスキュー回転を抑える手段を設け、保持器回転を安定させることが好ましい。同形の打抜き保持器１０、１０を対向一対で組み込むため、スキュー挙動を受けた打抜き保持器１０のフランジ６の背面を他の打抜き保持器１０のフランジ６の背面に接触させることにより、スキュー回転を抑えることができる。この接触は、保持器回転中に生じるため、他のフランジ６の背面に摺接することになる。
【００２３】
そこで、フランジ６の背面に、他の同形打抜き保持器１０のフランジ６の背面に摺接可能な平面部６ａ、６ｂが周方向全周に亘るように形成されている。
【００２４】
フランジ６、６の背面同士の摺接によりころ案内時の保持器１０のスキュー回転を抑える場合、安定した保持器及びころ挙動を得るには、平面部６ａ、６ｂの面積を大きくすること、平面部６ａ、６ｂを周方向全周に亘って大きな幅で確保すること、及び平面部６ａ、６ｂの平面度を高くすることがそれぞれ有効である。
【００２５】
上述のように、この発明によればフランジ６の背面の平面度を周方向全周に亘って均一に得易い。このため、周方向全周に亘る平面部６ａをフランジ加工のみで容易に形成することができ、又は、別途に面押し加工をするとしても精度よく形成することが容易である。また、円周方向に均一間隔に配された平面部６ｂも、それぞれの精度を揃え易い。
【００２６】
平面部６ａは、運転中の摺接性からラジアル平面に沿う向きになっているが、調心角を考慮した傾斜をフランジ６の幅全域又は幅途中からフランジ６の先端側に向かって与えることもできる。例えば、平面部６ｂのみに傾斜を与えてもよい。
【００２７】
また、前記柱３が凸面ころ５の外周部に内外一方から接触することで該凸面ころ５の内外一方への抜けが規制されるようになっており、内外他方側に起こされたフランジ６のうち、周方向で複数のポケット４、４・・・の各ポケット４間に位置する部分に、凸面ころ５の外周部に内外他方から間隙ｇをもって重なる抜止め６ｃが形成されている。ここで、凸面ころ５の外周部は、転動面と面取り部とからなる。
【００２８】
凸面ころ５が内外の軌道輪１１、１２間に介在する状態でＰＣＤから内外一方に外れた位置に各柱３がある。ポケット４の周方向両側に位置する両柱３、３が凸面ころ５の外周部に内外一方から接触することで凸面ころ５の内外一方への抜けが規制される。このようにすれば、内外の軌道輪１１、１２間の空間における各柱３の位置を内外一方の軌道輪１１に近づけ、フランジ６の幅を確保し易くなるため、平面部６ａの幅確保が容易になる。
【００２９】
凸面ころ５の外周部に内外他方から間隙ｇをもって重なるように抜止め６ｃを形成すれば、凸面ころ５の端面の凹部に頼ることなく打抜き保持器からのころ抜けを規制することができる。このため、凸面ころ５の端面に凹部を形成する必要がなく、凸面ころ５の低コスト化を図ると共に、ころ案内面１ａとの摺接可能な範囲を凸面ころ５の端面においてより広く確保することができる。隙間ｇがあるため、通常運転中、抜止め６ｃは、凸面ころ５の外周部と接触しない。
【００３０】
前記両柱３、３に対応する位置関係の両抜止め６ｃ、６ｃは、凸面ころ５の外周部に内外他方から重なるようにＰＣＤから内外他方に外れた位置に設けられるので、凸面ころ５、５間の空間に収まるように形成することができる。このため、各抜止め６ｃがころ本数等に影響を及ぼすことはない。
【００３１】
なお、凸面ころ５の内外他方への抜けを規制する抜止めは、フランジ６に形成することに代えて、凸面ころ５の端面に凹部を形成し、ポケット４の内周を成す大径側環部１、小径側環部２等に抜止めを適宜に形成することも可能である。凸面ころ５に要求される剛性上、凸面ころ５の端面に深い凹部を形成できない場合、抜止めは、浅く形成された凹部に入り込ませるため、小さくなる。自動調心ころ軸受のようにミスアライメントの生じ得る条件下では、抜止めところとの接触が起こり得る。小さな抜止めは、摩耗で規制が効かなくなることも早く、軸受の分解点検で保持器を抜き出した際にころ抜けの恐れがある。凸面ころ５の外周部に内外他方から間隙ｇをもって重なるように抜止め６ｃを形成すれば、凹部の深さによる制限なく、抜止め６ｃを大きく形成することができる利点もある。
【００３２】
抜止め６ｃは、フランジ６のうち各ポケット４間に位置する部分に加えた押し出し成形により正面側に膨らませた膨出部からなり、フランジ６に弾性変形を生じさせつつ凸面ころ５をポケット４に押し込むと、その凸面ころ５の円周方向両側に位置する両抜止め６ｃ、６ｃが弾性回復で凸面ころ５の外周部と間隙ｇをもって内外他方から重なるようになっている。
【００３３】
フランジ６を膨出させて抜止め６ｃを形成するため、抜止め６ｃにフランジ６から切り離された自由端が生じず、抜止め６ｃとフランジ６との連続部分の断面積が曲げ片からなる抜止めよりも増す。このため、抜止め６ｃは、曲げ片に比してフランジ６に対する変形を生じ難い。したがって、柱３に凸面ころ５が乗り上がるといった異常条件下で、凸面ころ５の外周部が抜止め６ｃに接触しても、抜止め６ｃの破損が生じ難い。このことは、柱３に乗り上げ等する凸面ころの挙動を抜止め６ｃとの接触で正規の位置に安定させることや、打抜き保持器１０の取扱い時に抜止め６ｃの保護を楽にすることに有利である。
【００３４】
また、ダイスを用いる押し出し成形で抜止め６ｃを形成するため、各抜止め６ｃを精度よく形成することができる。
【００３５】
また、抜止め６ｃをフランジ６に押し出し成形を加えることで形成するため、抜止め６ｃに打抜き断面がなく、上述の異常条件下で、凸面ころ５の外周部が膨出部の表面に面接触する。したがって、凸面ころ５の外周部の油膜が掻き取られたり、荒れた打抜き断面に凸面ころ５の外周部が傷付けられたりすることはなく、凸面ころ５の外周部の破損が生じ難い。
【００３６】
打抜き保持器１０側の弾性変形を利用すれば、凸面ころ５をポケット４の内周に受けさせた状態で曲げ片を塑性曲げして抜止めを形成するような手間を要しない。
【００３７】
打抜き保持器１０の例では、図４（ａ）に示すように、凸面ころ５の外周部を抜止め６ｃ乃至フランジ６に押し当てることにより、図４（ｂ）に示すように、フランジ６乃至柱３に弾性変形を生じさせると、凸面ころ５をポケット４に押し込むことができる。図４（ｃ）に示すように、弾性回復が生じると、図２に示すように、前記両柱３、３に対応する位置関係の両抜止め６ｃ、６ｃが凸面ころ５の外周部と間隙ｇをもって内外他方から重なる。
【００３８】
図５に示すように、前記フランジ６の先端縁が円周に沿った形状とされている。ここで、円周は保持器中心軸回りの円周のことをいう。
【００３９】
上述のように、フランジ６に押し出し成形を加えることで抜止め６ｃを形成するため、大径側環部１となる周壁の一端部に抜止め形成用の切り落とし部分が生じず、この部分を種々の目的に利用することができる。このことを利用し、フランジ６の先端縁を円周に沿った形状にすれば、加工形状が単純になる。打抜き保持器１０は、単純形状で打抜き加工を行えるため、その加工、打抜き金型の製作における精度出し、及び金型寿命の点で有利である。
【００４０】
また、フランジ６の先端縁が円周に沿うため、円周方向に隣り合う抜止め６ｃ、６ｃ間に切り落とし部分がない。このことを利用すれば、抜止め６ｃの形成に伴う窪み６ｄ、６ｄ間に平面部６ｂを追加することができる。このため、抜止め６ｃよりも内外一方側で周方向全周に亘る平面部６ａのみを形成した場合よりも摺接可能な範囲をラジアル方向に広げることができる。
【００４１】
なお、平面部６ｂは、最大でフランジ６の先端縁と同径まで広げることができる。フランジ６の先端縁は内外他方の軌道輪１２に挿入可能な限界まで広げることができる。平面部６ｂは、抜止め６ｃの配置から周方向に等配で形成されており、保持器重心を狂わせない。
【００４２】
また、図２に示すように、抜止め６ｃは、周方向に隣り合う両凸面ころ５、５に対して有効な対称形に設けられている。
【００４３】
フランジ６のうち周方向で各ポケット４間に位置する部分に各抜止め６ｃを設けると、上述のように両凸面ころ５、５に対して有効な対称形にすることにより、抜止め６ｃの成形数を減らすことができる。上述のようにダイスで精度よく抜止め６ｃを形成することが可能なため、実施形態においては、両凸面ころ５、５に対して同じ抜止め効果を容易に得ることができる。
【００４４】
図２〜図４（ａ）、（ｂ）に示すように、抜止め６ｃは、フランジ６の先端縁で最も軸方向に膨らみ、かつ内外一方側に進むに連れて軸方向に小さく膨らむように形成されている。
【００４５】
フランジ６の先端縁で最も軸方向に膨らむと、フランジ幅を最大限に有効利用して抜止め６ｃを凸面ころ５の外周部に間隙ｇをもって重ねることができる。
【００４６】
また、押し出し成形においては、抜止め６ｃを曲面にすることが自然である。このことを踏まえ、抜止め６ｃは、内外一方側に進むに連れて軸方向に小さく膨らむように形成されている。抜止め６ｃは、フランジ６の先端縁から内外一方側に向かって、凸面ころ５の外周部に対する逃げ形状を与えられる。その結果、図４に示すように、凸面ころ５の外周部を抜止め６ｃの逃げ形状部分に押し当てながらフランジ６等に弾性変形を生じさせることができ、ころ入れに必要なフランジ６等の変形量を少なくすることができる。
【００４７】
フランジ６の先端縁は最も押し出しで変形させ易い部分であるから、そこで抜止め６ｃの軸方向の膨らみを最も大きくすれば、比較的に小さな加工力で成形することができる。
【００４８】
また、抜止め６ｃは、フランジ６の先端縁で周方向幅が最も大きく、かつ内外一方側に進むに連れて周方向幅が小さくなるように形成されている。
【００４９】
抜止め６ｃの軸方向の膨らみをフランジ６の先端縁で最も大きくする場合、抜止め６ｃの剛性を要する。抜止め６ｃの周方向幅をフランジ６の先端縁で最も大きくすれば、抜止め６ｃの剛性を効果的に高めることができる。さらに、抜止め６ｃは、内外一方側に進むに連れて周方向幅が小さくなるため、周方向にもころ入れを考慮した逃げ形状を与えられる。
【００５０】
なお、抜止め６ｃは、所望の抜止め規制や目的とする効果が得られる限り、適宜に決定することができる。例えば、実施形態では、抜止め６ｃに上述のような逃げ形状を与えるため、抜止め６ｃを保持器中心側に頂点を向けて円錐柱に基いた形態としたが、球面に基いた形態にすることもできる。
【００５１】
また、抜止め６ｃは、押し出しを容易にするため、凸面ころ５の外周部のうち面取り部のみに掛かり得る膨らみが与えられている。このことは、凸面ころ５が柱３に乗り上げたときに凸面ころ５の転動面を保護する上でも好ましいが、確実な抜止め規制を優先する場合は凸面ころ５の転動面に掛かり得る膨らみを与えることもできる。
【００５２】
図１、図５に示すように、抜止め６ｃの押し出しに伴ってフランジ６の背面に形成された窪み６ｄは平面部６ａ、６ｂに連続している。
【００５３】
窪み６ｄには、潤滑剤が入り込む。このため、窪み６ｄが平面部６ａ、６ｂに連続していると、窪み６ｄ内の潤滑剤が平面部６ａ、６ｂに自然と供給される。したがって、対向一対の打抜き保持器１０、１０が互いの平面部６ａ、６ｂ同士で摺接するとき、平面部６ａ、６ｂの潤滑が良好になる。
【００５４】
潤滑剤は、潤滑油又はグリースのいずれでもよい。
【００５５】
また、窪み６ｄは、フランジ６の先端縁に及ぶ。
【００５６】
窪み６ｄがフランジ６の先端縁に及んでいると、対向一対の打抜き保持器１０、１０が互いの平面部６ａ、６ｂ同士で摺接するときでも、両フランジ６、６間に窪み６ｄによる開放口が生じる。したがって、軸受内部の潤滑剤が窪み６ｄに入り易く、ひいては、平面部６ａ、６ｂの潤滑をより得易くなる。
【００５７】
なお、打抜き保持器１０においては、抜止め６ｃをフランジ６の先端縁で最も軸方向に膨らみ、かつ周方向幅が最も大きくなるように形成したため、特に窪み６ｄの開放口を最も大きくすることができ、特に軸受内部の潤滑剤が窪み６ｄに入り易くなっている。
【００５８】
打抜き保持器１０の製造方法について述べる。先ず、図６（ａ）、（ｂ）に示すように、周壁２１の一端が大径となり他端が小径となった環状体２０を金属板で形成する成形加工を行う。例えば、円板に対する深絞り加工でカップ体を形成し、底部２２の周縁部２２ａを除いた中央部２２ｂを打抜く底あけ加工を行い、環状体２０を形成することができる。その底あけ加工により、小径環部を構成する小フランジとなる部分が環状体２０に設けられる。底あけ加工は前記の深絞り加工と同時にすることもできる。
【００５９】
次に、図６（ｃ）に示すように、周壁２１の一端部２１ａを直径方向外側に起こすフランジ加工を行う。
【００６０】
フランジ曲げ部ｒを周方向全周に亘って同一円周上に形成することができる。これにより、起こされた周壁２１の一端部２１ａの両板面の平面度及び曲げ角は、周方向全周に亘って均一に得易くなる。このため、フランジ加工の段階で、前記平面部となる面部を周壁２１の一端部２１ａに形成することができる。
【００６１】
上述の従来例と異なり、抜止め形成用の曲げ片を形成する必要がないため、ポケット形成用の穴あけを行う打抜き加工よりも前にフランジ加工を施すことができる。
【００６２】
次に、図６（ｄ）に示すように、周壁２１の両端間の部分２１ｂにポケット形成用の穴あけを行う打抜き加工を行う。
【００６３】
その打抜き加工により、大径側環部の一部となる一端側環部２１ｃと、小径側環部の一部となる他端側環部２１ｄ、柱となる部分である繋ぎ部２１ｅ、及びポケット形成用の穴２３が形成される。
【００６４】
このとき、打抜き加工を、周壁２１のうち前記フランジ加工で形成されたフランジ曲げ部ｒから他端側に離れた部分に施す。
【００６５】
フランジ曲げ部ｒから他端側に距離を設けることにより、周壁２１の一端部２１ａが存在しても打抜き加工を行うことができる。周壁２１の一端部２１ａの平面度や曲げ角が打抜き加工で狂わない限り、適宜に距離設定をすることができる。抜止め形成用の曲げ片を形成する必要がなく、一端側環部２１ｃに切り落とし部分がないため、一端側環部２１ｃの幅を周方向全周に亘って同一のフランジ幅に形成するのに有効利用することができる。
【００６６】
このとき、図７に示すように、一端側環部２１ｃの打抜き断面部が前記ポケット４に保持させる凸面ころ５の端面に対向する断面となるように打抜く。これにより、ころ案内面１ａを打抜き加工のみで形成することができる。
【００６７】
打抜き加工の後にフランジ加工を行う従来例だと、一端側環部２１ｃの幅が狭い場合、ころ案内面１ａとフランジ曲げ部ｒとの距離が近くなり、形成されたころ案内面１ａの向きが狂う恐れがある。打抜き加工の前にフランジ加工を施すため、前記距離を近く設定しても、形成されたころ案内面１ａの精度が狂うことはない。このことは、フランジ加工の後に、フランジに抜止めを形成する場合にも有利である。抜止めをフランジに形成すると、フランジ正面側に出す長さを短くするため、ポケットの内周との距離を近づけることが好ましい。そうすると、ころ案内面１ａとフランジ曲げ部ｒとの距離が近くなるためである。
【００６８】
次に、図６（ｅ）に示すように、周壁２１の一端部２１ａに対して一端側から他端に向かって押し出し成形を行う。
【００６９】
打抜き加工後、押し出し成形により、抜止め６ｃ、窪み６ｄが形成され、フランジ６が完成する。この押し出し成形を利用して平面部６ａ、６ｂの精度を確保することができる。
【００７０】
繋ぎ部２１ｅに面押し加工を施すと、柱３、ポケット４が形成される。
【００７１】
上述のように、この打抜き保持器１０は、ポケット４の内周が大径側環部１の打抜き断面を含む構造のため、必須の打抜き加工のみでころ案内面１ａを得られる。これに伴って、大径側環部１となる周壁２１の部分にフランジ６の曲げ部ｒを周方向全周に亘って確保することができるため、フランジ６となる周壁２１の一端部２１ａの両板面の平面度や曲げ角、ひいてはフランジ６の正背両面の平面度や曲げ角を周方向全周に亘って均一に得易い。したがって、この打抜き保持器１０は、フランジ６及びころ案内面１ａを簡単に精度よく形成することができる。
【００７２】
打抜き保持器１０の使用方法について述べる。図８に示すように、打抜き保持器１０は、自動調心ころ軸受用のため、返し作業を前提に抜止め６ｃが設計されている。すなわち、内外一方の軌道輪１１の軌道面に対向一対で打抜き保持器１０を重ね、アッセンブリの返し作業を行うことが可能になっている。このとき、ポケット４の周方向両側にある抜止め６ｃ、６ｃは、凸面ころ５の外周部に掛かり、凸面ころ５の内外他方への抜けを規制する。なお、この例のように、打抜き保持器１０、凸面ころ５、内方の軌道輪１１をアッセンブリ化した状態で外方の軌道輪１２に組み込む場合、ＰＣＤの外方に柱３があると、内方の軌道輪１１が邪魔をして、凸面ころ５の組み込みが困難である。これを避ける目的もあって、柱３をＰＣＤの内方に外した位置としている。
【００７３】
上述のように返し作業を行うと、図１に示すように、打抜き保持器１０、１０が内外の軌道輪１１、１２間に対向一対で組み込まれた自動調心ころ軸受を組立てることができる。
【００７４】
実施形態に係る自動調心ころ軸受は、内外の軌道輪１１、１２間に案内輪が組み込まれていない。
【００７５】
対向一対で摺接する平面部６ａ、６ｂ同士のみで打抜き保持器１０、１０のスキュー挙動を抑えることが可能なため、案内輪や中鍔を省略することができる。これにより、自動調心ころ軸受の部材数を削減し、低コスト化を図ることができる。
【００７６】
内外他方の軌道輪１２に窪み６ｄに向かって潤滑剤を供給する油穴１２ａが設けられている。
【００７７】
実施形態に係る自動調心ころ軸受は、フランジ６の背面に、抜止め６ｃの膨出に伴う窪み６ｄがフランジ６の先端縁に及び、かつ平面部６ａ、６ｂに連続しており、しかも案内輪が存在しないため、潤滑剤を油穴１２ａから補給すると、窪み６ｄに潤滑剤が入り易く、平面部６ａ、６ｂに潤滑剤が供給され易い。
【００７８】
この発明は、実施形態に限定されず、この発明の課題を達成することができる限り、様々に変更することができる。また、上述の応用目的を達成するための構成は、適宜に組み合わせて、又は単独で採用することができる。
【００７９】
例えば、外方の軌道輪、打抜き保持器、ころをアッセンブリ化する場合は、柱をＰＣＤよりも外方に位置させ、フランジを内方に曲げればよい。
【００８０】
凸面ころ５の内外他方への抜けを規制する抜止めは、フランジ曲げ部から外れた位置に形成すればよく、適宜に変更することができる。
【００８１】
例えば、図９、図１０に抜止めの変更例を示すように、フランジ３１の先端部分から延びる曲げ片を形成しておき、打抜き加工でころ案内面３１ａを形成した後、その曲げ片を塑性曲げすることによって抜止め３１ｂを形成することもできる。両抜止め３１ｂ、３１ｂの間は、凸面ころ５を両柱３２、３２よりも内外他方から押し込むことで弾性的に広げられる。これにより、凸面ころ５がポケット３３に入るようになっている。ころ入れ後、抜止め３１ｂが弾性回復し、凸面ころ５の外周部に内外他方から隙間ｇをもって重なる。
【００８２】
また、凸面ころの端面に凹部を形成する場合は、大径環部や小径環部に抜止めを形成することもできる。ポケットの内周を構成する打抜き断面に突部を形成し、凸面ころを面取り部から押し込むと、保持器側の弾性変形で突部が逃げて凹部に達すると弾性回復で入り込むように構成することもできる。
【００８３】
ころの自転軸を含むアキシアル平面を境としてころ案内面が周方向両側で対称に摺接可能な配置になっている限り、接触抵抗差でころの転動が不安定になることは防止される。このため、ポケットの内周を構成する大径側環部の板厚面の周方向中央部分に抜止めを形成すれば、前記の対称性をもった２箇所にころ案内面を形成することもできる。
【００８４】
また、保持器案内形式を柱利用の転動体案内方式に代えて、フランジの先端縁を円周に沿って成形可能なことを利用し、大小両環状部のフランジを利用した軌道輪案内方式にすることも可能である。保持器ところの公転速度差を生じ難い点で軌道輪案内方式よりも転動体案内方式が好ましい。
【００８５】
なお、上述の抜止めに係る構成は、凸面ころだけでなく、円錐ころ、円筒ころ等用の打抜き保持器にも適用することができる。
【図面の簡単な説明】
【００８６】
【図１】実施形態に係る自動調心ころ軸受の要部断面図
【図２】ａは、図１のポケットをころ自転軸を含むアキシアル平面で切断した断面図、ｂは、前記ａの矢線Ｂ方向から視たポケットの平面図、ｃは、前記ａのＣ−Ｃ線の断面図、ｄは、前記ａのＤ−Ｄ線の断面図
【図３】図１のフランジを正面側から視た部分拡大斜視図
【図４】ａは、図２のポケットにころを入れる準備状態を示す作用図、ｂは、前記ａの状態からころをポケットに押し込む様子を示す作用図、ｃは、前記ｂの状態から弾性回復する様子を示す作用図
【図５】図１の打抜き保持器の背面図
【図６】ａは図１の打抜き保持器の製造工程のうちカップ体の成形加工を示す工程図、ｂは底あけ加工を示す工程図、ｃはフランジ曲げ加工を示す工程図、ｄは打抜き加工を示す工程図、ｅは押し出し成形加工を示す工程図
【図７】ａは図６の打抜き加工で形成された穴を直径方向から示す部分拡大平面図、ｂは前記ａの穴をアキシアル平面の切断面で示した断面図
【図８】図１のアッセンブリを返し作業で組み込む様子を示す作用図
【図９】ａは、変更例に係るポケットをラジアル平面の切断面で示した部分拡大断面図、ｂは変更例のポケット部分をアキシアル平面の切断面で示した部分拡大断面図
【図１０】ａは図９のポケットに凸面ころを入れる様子をアキシアル平面の切断面で示す作用図、ｂは前記ａの様子をラジアル平面の切断面で示す作用図
【図１１】ａは従来例の打抜き保持器の部分拡大縦断面図、ｂは前記ａの打抜き保持器のポケットを斜め外方から示した部分拡大斜視図
【図１２】ａは従来の打抜き保持器の製造工程のうち環状体の成形加工を示す工程図、ｂは打抜き加工を示す工程図、ｃはフランジ曲げ加工を示す工程図
【符号の説明】
【００８７】
１  大径側環部
１ａ、３１ａ  ころ案内面
２  小径側環部
３、３２  柱
４、３３  ポケット
５  凸面ころ
６、３１  フランジ
６ａ、６ｂ  平面部
６ｃ、３１ｂ  抜止め
６ｄ  窪み
１０  打抜き保持器
１１、１２  軌道輪
１２ａ  油穴
ｇ  間隙
ｒ  フランジ曲げ部
【図１】
2010025230.tif 000003
【図２】
2010025230.tif 000004
【図３】
2010025230.tif 000005
【図４】
2010025230.tif 000006
【図５】
2010025230.tif 000007
【図６】
2010025230.tif 000008
【図７】
2010025230.tif 000009
【図８】
2010025230.tif 000010
【図９】
2010025230.tif 000011
【図１０】
2010025230.tif 000012
【図１１】
2010025230.tif 000013
【図１２】
2010025230.tif 000014